(57)【要約】【課題】道路運送車両の保安基準に基づく番号標の各測定点の照度を簡単に測定できると共に、多数の自動車の番号標の測定を迅速にできる自動車用番号灯の測定装置を提供することを目的とする。【解決手段】自動車３の番号灯２により照らされた番号標２又は該番号標に装着された測定用プレート４（以下、「番号標等」という。）を撮像する測定用カメラ６と、該測定用カメラ６により撮像された前記番号標等の画像から、該番号標等の任意の位置の照度又は光度（以下、「照度等」という。）を演算する演算処理装置７とよりなることを特徴とする自動車の番号標等の照度又は光度測定装置１。【選択図】図３
2015143649.tif 000002
【特許請求の範囲】
【請求項１】
自動車の番号標又は該番号標に装着された測定用プレート（以下、「番号標等」という。）を撮像する測定用カメラと、
該測定用カメラにより撮像された前記番号標等の画像から、該番号標等の任意の位置の照度又は光度（以下、「照度等」という。）を演算する演算処理装置とよりなることを特徴とする自動車の番号標等の照度又は光度測定装置。
【請求項２】
前記撮像された前記番号標等の画像を表示するモニタ画面と、
該モニタ画面上に表示される、予め形状が設定された枠とを更に有し、
該枠の形状は、前記番号標等に対して、予め設定された所望の距離に離間した測定用カメラにより前記番号標等を撮像し、該撮像された画像を、予め設定された縮尺率で前記モニタ画面上に表示させた時の該番号標等の画像の外形形状に合致する形状であり、
前記番号標等に対して、任意の距離に離間した前記測定用カメラを、該測定用カメラにより前記番号標等を撮像し、該撮像された画像を、前記縮尺率で前記モニタ画面上に表示させた時の該番号標等の画像の外形形状を前記枠に合致するように移動させることにより、前記番号標等に対して前記測定用カメラを正対させることを特徴とする請求項１に記載の自動車の番号標等の照度又は光度測定装置。
【請求項３】
前記撮像された前記番号標等の画像を表示するモニタ画面と、
該モニタ画面上に表示される、予め形状が設定された枠とを更に有し、
該枠の形状は、前記番号標等に対して、予め設定された所望の距離に離間すると共に、該番号標等の正面に配置した測定用カメラにより前記番号標等を撮像し、該撮像された画像を、予め設定された縮尺率で前記モニタ画面上に表示させた時の該番号標等の画像の外形形状に合致する形状であり、
前記番号標等に対して、任意の距離に離間すると共に、該番号標等の面に対して任意の傾斜角度で配置した前記測定用カメラを、該測定用カメラにより前記番号標等を撮像し、該撮像された画像を、前記縮尺率で前記モニタ画面上に表示させた時の該番号標等の画像の外形形状を前記枠に合致するように移動させることにより、前記番号標等に対して前記測定用カメラを正対させることを特徴とする請求項１に記載の自動車の番号標等の照度又は光度測定装置。
【請求項４】
前記演算処理装置に、更に、傾斜補正処理部を設け、
該傾斜補正処理部により、
前記番号標等の面に対して、任意の傾斜角度で配置した前記測定用カメラにより撮像された該番号標等の画像を、
該画像の外形形状が、前記番号標等の正面に配置した測定用カメラにより撮像した時の該番号標等の画像の外形形状と合致するように補正して、
該補正した画像を前記モニタ画面上に表示するようにしたことを特徴とする請求項２又は３に記載の自動車の番号標等の照度又は光度測定装置。
【請求項５】
前記撮像した画像の外形形状と、前記枠とが合致した時に、該合致を知らせる通知手段を更に設けたことを特徴とする請求項２乃至４のいずれか１に記載の自動車の番号標の照度又は光度測定装置。
【請求項６】
前記演算処理装置は、前記測定された照度等が、所望の照度等以上か否かを判定する照度等判定手段を更に有することを特徴とする請求項１乃至５のいずれか１に記載の自動車の番号標等の照度又は光度測定装置。
【請求項７】
前記演算処理装置は、前記番号標等の予め定めた複数の位置の照度等を演算し、該照度等から均斉度を演算すると共に、該均斉度が所望の値以下であるか否かを判定する均斉度判定手段を更に有し、該均斉度が（高照度点２箇所の照度の平均）／（低照度点２箇所の照度の平均）で表されることを特徴とする請求項１乃至６のいずれか１に記載の自動車の番号標等の照度又は光度測定装置。
【請求項８】
測定用カメラにより、自動車の番号標等を撮像する第一の工程と、
演算処理装置により、前記測定用カメラにより撮像された番号標等の画像から、該番号標等の任意の位置の照度等を演算する第二の工程とよりなることを特徴とする自動車の番号標等の照度又は光度測定方法。
【請求項９】
自動車の番号標等に対して、測定用カメラを、任意の距離に離間すると共に、該番号標等の面に対して任意の傾斜角度で配置する第一の工程と、
前記測定用カメラにより、該番号標等を撮像する第二の工程と、
該撮像された番号標等の画像を予め設定された縮尺率でモニタ画面上に表示する第三の工程と、
該番号標等の画像の外形形状を、前記モニタ画面上に表示された予め形状が設定された枠に合致するように、前記番号標等に対して前記測定用カメラを移動させる第四の工程とよりなり、
前記枠の形状は、前記番号標等に対して、予め設定された所望の距離に離間すると共に、該番号標等の正面に配置した測定用カメラにより前記番号標等を撮像し、該撮像された画像を、前記縮尺率で前記モニタ画面上に表示させた時の前記番号標等の画像の外形形状に合致する形状であることを特徴とする自動車の番号標等の照度又は光度測定方法。
【請求項１０】
前記番号標等の面に対して、任意の傾斜角度で配置した前記測定用カメラにより撮像された該番号標等の画像を、
該画像の外形形状が、前記番号標等の正面に配置した測定用カメラにより撮像した時の該番号標等の画像の外形形状と合致するように補正して、
該補正した画像を前記モニタ画面上に表示する工程を更に有する事を特徴とする請求項９に記載の自動車の番号標等の照度又は光度測定方法。
【発明の詳細な説明】
【技術分野】
【０００１】
本発明は、自動車の番号灯が、番号標（ナンバープレート）を所望の照度又は光度（以下、「照度等」という。）以上で照らしているか否か等を試験するために、該自動車の番号灯により照らされた番号標又は該番号標に装着された測定用プレート（以下、「番号標等」という。）の照度等を測定する装置及び方法に関する。
【背景技術】
【０００２】
自動車の番号灯は、道路運送車両の保安基準により、夜間に自動車登録番号標、臨時運行許可番号標、回送運行許可番号標又は車両番号標の番号等を確認できるものであることが要求されている。そして、該番号灯がこの要求を満たすか否かは、自動車の番号灯を点灯した時に、大型番号標、中型番号標又は小型番号標の各番号標又は該各番号標に装着された該各番号標と同形状の測定用プレートの予め定められた複数の測定点の照度等がそれぞれ８ルクス（小型番号標では１５ルクス）以上であり、かつ、式１で表される均斉度が２０以下であるか否か等で判定される。
【０００３】
（式１）均斉度＝（高照度点２箇所の照度の平均）／（低照度点２箇所の照度の平均）
【０００４】
そして、図７に示すように、前記大型番号標、中型番号標、小型番号標の各番号標又は各測定用プレートαの大きさ及び前記測定点βは、それぞれ前記道路運送車両の保安基準により定められており、従来の各番号標等の照度等の測定においては、前記異なる大きさの番号標等に応じて予め定められた各測定点βにそれぞれ照度計等（図示せず）を取り付け、各測定点βの照度等を測定し、又は、輝度計等（図示せず）を用いて、前記番号標等から離れた位置から各測定点βの照度等をそれぞれ測定していた。
【０００５】
また、自動車のヘッドライトの光度を測定するヘッドライトテスターにおいては、ヘッドライト光を受光したスクリーン上に映った画像をＣＣＤカメラで撮像し、該撮像した画像を画像処理して、等光度線を用いて光度の高低をモニタ上に表現するとともに、前記スクリーンに設けた一つの光度測定センサを用いて、最高光度ポイントの光度を測定するものがある（特許文献１）。
【先行技術文献】
【特許文献】
【０００６】
【特許文献１】特開平０８−３３４４３８号公報
【発明の概要】
【発明が解決しようとする課題】
【０００７】
しかしながら、前記従来の照度計等による測定では、番号標等の複数の測定点にそれぞれ照度計等を取り付けるのは、手間がかかり、また、複数の自動車の番号標等を測定するには時間がかかってしまう。
【０００８】
また、前記従来の輝度計等による測定では、離れた位置から各測定点をそれぞれ測定するので、正確性がなく、また、手間がかかり、また、前記照度計等での測定と同様に、複数の自動車の番号標等を測定するには時間がかかってしまうという問題点があった。
【０００９】
また、前記ヘッドライトテスターは、道路運送車両の保安基準に応じた複数の測定点の照度を測定できるものでなく、かつ、均斉度を求めるものではないので、該ヘッドライトテスターをそのまま自動車の番号標等の照度又は光度測定装置に用いることはできなかった。
【００１０】
また、前記ヘッドライトテスターにおいては、ヘッドライトテスターに対して自動車を予め設定された所望の距離に離間させて配置して正対させる必要があるため、この正対に時間がかかり、多数の自動車の測定を迅速におこなうことができなかった。
【００１１】
本発明は、道路運送車両の保安基準に基づく番号標等の各測定点の照度等を簡単に測定できると共に、番号標等を撮像する測定用カメラの正対を容易にできるようにして、多数の自動車の番号標等の測定を迅速にできる自動車の番号標等の照度又は光度測定装置及び測定方法を提供することを目的とする。
【課題を解決するための手段】
【００１２】
本発明は前記の目的を達成すべく、測定装置として、自動車の番号灯により照らされた番号標又は該番号標に装着された測定用プレート（以下、「番号標等」という。）を撮像する測定用カメラと、該測定用カメラにより撮像された前記番号標等の画像から、該番号標等の任意の位置の照度又は光度（以下、「照度等」という。）を演算する演算処理装置とよりなることを特徴とし、また、測定方法として、測定用カメラにより、自動車の番号灯により照らされた番号標等を撮像する第一の工程と、演算処理装置により、前記測定用カメラにより撮像された番号標等の画像から、該番号標等の任意の位置の照度等を演算する第二の工程とよりなることを特徴とする。
【発明の効果】
【００１３】
本発明の自動車用番号灯の測定装置及び測定方法によれば、簡単に番号標等の各測定点の照度を測定でき、これにより、多数の自動車の番号標の測定を迅速にできるようになる。
【００１４】
また、番号標等に対する、測定用カメラの正対が容易にでき、これにより、多数の自動車の番号標の測定を迅速にできるようになる。
【図面の簡単な説明】
【００１５】
【図１】本発明の実施例１の自動車用番号灯の測定装置の説明図である。
【図２】該測定装置のブロック線図である。
【図３】該測定装置のモニタ画面の説明図である。
【図４】該測定装置の操作盤の説明図である。
【図５】本発明の実施例１の変形例１のモニタ画面の説明図である。
【図６】本発明の実施例１の変形例２のモニタ画面の説明図である。
【図７】道路運送車両の保安基準による番号標の照度測定点の説明図である。
【発明を実施するための形態】
【００１６】
以下、図面によって本発明の実施例を説明する。
【実施例１】
【００１７】
本発明の自動車の番号標等の照度又は光度測定装置の実施例１を図１乃至図４によって説明する。
【００１８】
１は、本発明の実施例１の自動車の番号標等の照度又は光度測定装置、２は、自動車３の大型番号標、中型番号標又は小型番号標などの番号標（ナンバープレート）、４は、該番号標２に装着される測定用プレートを示し、該測定用プレート４は、例えば、アクリル製よりなる白色の板よりなると共に、前記番号標２と略同形状の矩形状に形成され、異なる大きさの大型番号標、中型番号標又は小型番号標にそれぞれに対応できるように、少なくとも、３種類設けられている。
【００１９】
また、前記自動車３の番号灯５により照らされた測定用プレート４の照度又は光度（以下、「照度等」という。）を正確に測定できるように、該測定用プレート４の表面はつや消し処理がなされているのが好ましい。
【００２０】
なお、前記測定用プレート４は、直接、前記番号標２の照度等を測定した場合に、該番号標２上の文字部分の黒色や、その他の部分の白色などの色の差によって、正確な照度等が測定できない場合があるのを防止するために、該番号標２に装着されるものであるが、該測定用プレート４を前記番号標２に装着することなく、直接、該番号標２の照度等を測定するようにしてもよい。
【００２１】
６は、前記測定用プレート４を撮像する、例えば、ＣＣＤカメラなどの測定用カメラを示し、該測定用カメラ６は、前記測定用プレート４から予め設定された所望の距離に離間すると共に、前記測定用カメラ６の撮像方向の軸が該測定用プレート４の面に対して直交するように、該測定用カメラ６を該測定用プレート４の正面に配置して、正対させる。
【００２２】
７は、演算処理装置を示し、該演算処理装置７は、図２に示すように、測定される番号標等の種類を選択する番号標選択部７ａと、前記測定用カメラ６で撮像した画像を画像処理するカメラ画像処理部７ｂと、該カメラ画像処理部７ｂにより処理された画像情報から、前記番号標選択部７ａで選択された番号標２に装着された測定用プレート４の予め定められた所望の測定点の照度等を演算する照度等演算部７ｃと、該照度等演算部７ｃにより演算された照度等が所望の照度等以上か否かを判定する照度等判定部７ｄと、前記測定された各照度等から均斉度を演算し、該均斉度が所望の値を満たしている否かを判定する均斉度判定部７ｅと、前記演算結果や判定結果などをモニタ装置８のモニタ画面９に表示するモニタ画像処理部７ｆと、該演算処理装置７を操作する操作盤１０の操作盤処理部７ｇと、記憶部７ｈと、前記各処理部・判定部及び記憶部の指示及び結果等を処理すると共に各種の演算制御処理を行う中央演算制御部７ｉとよりなり、これら番号標選択部７ａ、カメラ画像処理部７ｂ、照度等演算部７ｃ、照度等判定部７ｄ、均斉度判定部７ｅ、モニタ画像処理部７ｆ、操作盤処理部７ｇ及び記憶部７ｈは、前記中央演算制御部７ｉに接続されている。
【００２３】
また、前記モニタ画面９には、例えば、図３に示すように、該モニタ画面９の中央に、予め形状が設定された矩形状の枠９ａが表示され、該枠９ａの形状は、前記測定用プレート４に対して、前記測定用カメラ６を、予め設定された所望の距離に離間すると共に、該測定用プレート４の正面に設置して、正対させて、そして、該測定用カメラ６で前記測定用プレート４を撮像し、該撮像された測定用プレート画像を、該測定用プレート４の大きさに応じて設定された所望の縮尺率で前記モニタ画面９上に表示させた時に、該測定用プレート画像の外形形状に合致する形状に設定され、該測定用プレート４の大きさに応じて設定された所望の縮尺率は、大型番号標、中型番号標又は小型番号標に装着される各異なる大きさの測定用プレート４ごとに設定され、前記記憶部７ｈに予め記憶されている。
【００２４】
従って、前記測定用プレート４に対して、前記測定用カメラ６を、予め設定した所望の距離に離間すると共に、該測定用プレート４に正面に配置して、正対させ、測定用プレート４の大きさを選択することにより、前記モニタ画面９上において、該測定用カメラ６により撮像された前記測定用プレート４の外形形状が、前記枠９ａに合致するようになる。
【００２５】
なお、前記枠９ａの形状は、必ずしも矩形状の実線で表されている必要はなく、撮像された番号標等の画像の外形形状との合致が分かる形状であればよく、該枠９ａの形状は、破線、線の一部を省略して表示したものであってもよい。
【００２６】
また、前記枠９ａ内には、複数の測定ポイント９ｂが表示され、該測定ポイント９ｂの位置は、前記測定用プレート４における照度等を測定すべき測定点に対応する点、即ち、測定用プレート４上の前記図７で示す道路運送車両の保安基準で定められた測定点と一致する点に設定される。
【００２７】
また、前記枠９ａ内には、前記測定用プレート４の画像上の任意の位置の照度等を測定するための移動可能な補助測定ポイント９ｃが表示されている。
【００２８】
また、前記モニタ画面９の上部分９ｄには、例えば、測定対象が大型番号標、中型番号標、小型番号標のいずれかであるかが表示され、また、下部分９ｅには、前記式１で表される均斉度や、その他の情報が表示されるようにする。
【００２９】
また、前記操作盤１０は、前記モニタ画面９を参照して前記演算処理装置７を操作するもので、例えば、図４に示すように、電源スイッチ１０ａと、メンテナンス機能や各種の設定を行う画面を呼び出す設定スイッチ１０ｂと、作業を一つ前の状態に戻す機能の戻りスイッチ１０ｃと、次の項目へ移行する移行スイッチ１０ｄと、測定される番号標の種類を選択する番号標選択スイッチ１０ｅと、前記補助測定ポイント９ｃを前記モニタ画面９上で任意の位置に移動させるための移動スイッチ１０ｆ、記録された画像を呼び出す記録画像呼び出しスイッチ１０ｇ、動作中の操作スイッチの説明ウインドウを出す説明ウインドウスイッチ１０ｈ等が設けられている。
【００３０】
次に本発明の自動車の番号標等の照度又は光度測定装置の使用方法及びその効果について説明する。
【００３１】
なお、該測定においては、非常に照度、光度が低い値を測定する必要があるため、外光の影響をなるべく受けないように、暗い場所で測定し、或いは、暗い場所で測定できないような場合には、該測定装置及び番号標等を暗幕等で覆い、測定を行うようにするのが好ましい。
【００３２】
まず、初期設定のために、自動車３の番号標２に測定用プレート４を装着し、該測定用プレート４に対して、測定用カメラ６を予め設定された所望の距離に離間すると共に、正面に配置して正対させる。そして、例えば、前記測定用プレート４の２か所に照度計等（図示せず）を取り付けて、番号灯５を点灯して、該２か所の照度等を測定すると共に、該測定用プレート４を前記測定用カメラ６により撮像し、前記中央演算制御部７ｉにより、前記撮像された測定用プレート４の画像中の前記２か所の濃淡と、前記測定された照度等とから、画像の濃淡と照度等との関係を求め、前記記憶部７ｈに記憶させ、撮像された画像の濃淡から照度等が分かるようにする。
【００３３】
なお、他の方法を用いて、撮像された濃淡から照度が分かるようにしても良い。
【００３４】
前記初期設定の後に、測定すべき自動車３の大型番号標、中型番号標又は小型番号標の番号標２に、該番号標２と略同形状の測定用プレート４を装着し、該測定用プレート４に対して、前記測定用カメラ６を、前記予め設定された所望の距離付近の任意の距離に離間すると共に、該測定用プレート４の正面に配置して、正対させる。また、前記自動車３の番号灯５を点灯させる。
【００３５】
なお、先に測定用カメラ６を設置し、該測定用カメラ６と測定用プレート４とが前記予め設定された所望の距離付近の任意の距離に離間するように、自動車３の方を移動させるようにしてもよい。
【００３６】
そして、前記操作盤１０の電源スイッチ１０ａを入れると共に、測定すべき番号標が大型番号標なのか、中型番号標なのか、それとも小型番号標なのかを前記番号標選択スイッチ１０ｅを手動で選択することにより、前記モニタ画面９上に枠９ａ及び大型番号標、中型番号標又は小型番号標の各番号標２の測定点に対応した測定ポイント９ｂが表示されると共に、上部分９ｄに選択された番号標が表示されるようになる。
【００３７】
また、前記測定用カメラ６により、前記測定用プレート４を撮像し、前記測定用プレート４の大きさが決定されることにより、前記測定用カメラ６で撮像された測定用プレート４の画像は、前記記憶部７ｈで記憶された縮尺率で縮尺又は拡大されて、前記モニタ画面９上に表示されるようになる。
【００３８】
そして、前記モニタ画面９上に表示された前記測定用プレート４の画像の外形形状４ａが、前記枠９ａに合致しない場合には、前記測定用カメラ６を手動又は自動で左右上下方向に移動させて、前記画像の外形形状４ａと前記枠９ａとを合致させるようにする。
【００３９】
なお、前記演算処理装置７に、更に、位置補正処理部（図示せず）を設け、前記枠９ａに対して、前記測定用プレート４の画像の外形形状４ａの上下左右方向のずれが小さい場合には、前記測定用カメラ６を上下左右方向に移動させる代わりに、該位置補正処理部により、自動で前記モニタ画面９上に表示された該画像の位置を移動させて、該画像の外形形状４ａの位置を前記枠９ａに合致するようにしてもよい。
【００４０】
また、図５に示すように、前記測定用カメラ６を左右上下方向に移動しても、前記画像の外形形状４ａが前記枠９ａに対して大きい又は小さいために合致しない場合がある。これは、前記測定用プレート４に対して、前記測定用カメラ６が予め設定された距離よりも、近い又は遠いためである。そのため、前記測定用プレート４に対して、前記測定用カメラ６を手動又は自動で離接方向に移動させて、該画像の外形形状４ａを拡大又は縮小させて、前記枠９ａに合致するようにする。これにより、前記測定用プレート４に対して、前記測定用カメラ６が予め設定された距離だけ離間するようになる。
【００４１】
なお、合致した場合に、前記モニタ画面９上に表示或いは、音で知らせるなどの通知手段を設けてもよい。
【００４２】
そして、前記測定用カメラ６により、前記測定用プレート４を撮像し、前記中央演算制御部７ｉにより、前記測定用プレート４の画像の各測定ポイント９ｂの照度等をそれぞれ演算して、各測定ポイント９ｂにおける照度等が、例えば、８ルクス（小型番号標では１５ルクス）以上であるか否か等を判定し、測定した照度等が所望の照度等以上の場合には、例えば、該当する測定ポイント９ｂの色を青表示とし、測定した照度等が所望の照度等以下の場合には、該当する測定ポイントを赤表示とするようにすると共に、前記式１で表される均斉度を該モニタ画面９の下部分１０ｅに表示するようにする。
【００４３】
なお、番号標４が文字部分を光らせる字光式の場合は、該字光式番号標に前記測定用プレート４を装着せずに、該番号標４を前記測定用カメラ６で撮像し、前記補助測定ポイント９ｃを番号標の文字部分又は該文字部分に一致しない任意の位置に手動又は自動で移動させて、前記中央演算制御部７ｉにより、該補助測定ポイント９ｃにおける照度等を測定し、該照度等が所望の照度等条件を満たしているか否かを判定するようにしてもよい。
【００４４】
この際、照度を測定する測定装置を用いて、光度を測定するような場合には、例えば、式２などを用いて、測定された照度から光度の値を求めるようにしてもよい。
【００４５】
（式２）光度＝照度×（番号標から測定用カメラまでの距離）２
【００４６】
同様に、光度を測定する測定装置を用いて、照度を測定するような場合には、該式２などを用いて、測定された光度から照度の値を求めるようにしてもよい。
【００４７】
本実施例１によれば、撮像した画像を用いて照度等を測定するので、簡単に番号標等の所望の位置の測定ポイントの照度等を測定することができると共に、均斉度を測定することができ、多数の自動車の動車の番号標等の照度等の測定ができるようになる。
【００４８】
また、モニタ画面９上の枠９ａに、撮像された測定用プレート４の外形形状４ａが合致するように測定用カメラ６を移動することにより、測定用プレート４に対して、前記測定用カメラ６を予め設定された所望の距離に離間させることができるので、正対が容易であり、これにより多数の自動車の番号標等の照度等の測定ができるようになる。
【００４９】
なお、自動車３によっては番号標２が、上下方向において傾斜して取り付けられている場合がある。このような番号標２に測定用プレート４を装着して、撮像方向の軸が水平方向に向いた測定用カメラ６で該測定用プレート４を撮像すると、前記モニタ画面上９において、撮像された測定板２の画像の外形形状１１は、図６に示すように、矩形状ではなく、台形状に変形して表示され、モニタ画面９に表示された測定ポイント９ｂは、実際の測定用プレート４の測定点からずれて、正確な測定ができない場合がある。
【００５０】
また、前記測定用プレート４の面に対して、上下方向において、任意の傾斜角度で、前記測定用カメラ６を設置した場合にも、同様に、台形状に変形して表示される場合がある。
【００５１】
そこで、前記実施例１の変形例１においては、前記測定用プレート４の面に対して、前記測定用カメラ６を上下方向において任意の傾斜角度で設置した時に、モニタ画面９上に表示された測定用プレート４の画像の外形形状４ａが台形状に表示され、該外形形状４ａの上下辺の長さが異なる場合には、例えば、まず、上下辺の長さが同じになるように、前記測定用カメラ６の撮影方向の軸を上下方向において手動又は自動で傾斜するように移動させ、次に、前記測定用プレート４に対して、該測定用カメラ６を上下左右に手動又は自動で移動させると共に、離接方向に移動させて、前記枠９ａと前記画像の外形形状４ａが合致するようにする。これにより、前記測定用プレート４に対して、前記測定用カメラ６が予め設定された距離に離間すると共に、該測定用プレート４の正面に該測定用カメラ６を配置することができるようになる。
【００５２】
更に、変形例２として、前記測定用プレート４の面に対して、前記測定用カメラ６を左右方向においても任意の傾斜角度で設置した場合には、モニタ画面９上に表示された測定用プレート４の外形形状４ａの左右辺の長さが異なるため、前記の移動に加えて、前記測定用カメラ６の軸を左右方向において手動又は自動で傾斜するように移動させて、前記枠９ａと前記画像の外形形状４ａが合致するようにする。
【００５３】
以上より、前記測定用プレート４に対して、前記測定用カメラ６を、任意の距離に離間すると共に、該測定用プレート４の面に対して任意の傾斜角度で配置しても、前記モニタ画面９上に表示された前記測定用プレート４の画像の外形形状４ａを前記枠９ａに合致するように、該測定用カメラ６を移動させることにより、前記測定用プレート４に対して、該測定用カメラ６を予め設定された距離に離間できると共に、該番号標等の正面に配置することができるようになり、正対が容易となり、これにより多数の自動車の番号標等の照度等の測定ができるようになる。
【００５４】
なお、実施例１と同様に、前記画像の外形形状４ａと枠９ａが合致した場合に、前記モニタ画面９上に表示或いは、音で知らせるなどの通知手段を設けてもよい。
【００５５】
また、前記演算処理装置７に、更に、傾斜補正処理部（図示せず）を設け、前記測定用プレート４の面に対する前記測定用カメラ６の傾斜が小さい場合には、該測定用カメラ６の傾斜を修正する代わりに、前記傾斜補正処理部により、自動で前記モニタ画面９上に表示された画像を補正するようにしてもよい。
【００５６】
即ち、前記傾斜補正処理部により演算して、モニタ画面９上に表示された補正前の画像の外形形状を、前記測定用プレート４の正面に測定用カメラ６を配置した時にモニタ画面上に表示される測定用プレート４の画像の外形形状に合致するように、前記画像を補正し、該補正された画像を前記モニタ画面９上に表示するようにしてもよい。
【００５７】
以上により、前記測定用プレート４に対して、任意の距離に離間すると共に、該測定用プレート４の面に対して任意の傾斜角度で配置した測定用カメラ６を正対させる場合、前記測定用プレート４の正面に、大まかに前記測定用カメラ６を位置させて、あとは、該測定用カメラ６を離接させるだけで、離接中における、多少の測定用カメラ６の傾斜や、モニタ画面９上の枠９ａと外形形状４ａとの多少のずれがあっても、前記傾斜補正処理部及び位置補正処理部により自動で、画像が補正されて前記モニタ画面９上に表示されるようになる。
【００５８】
従って、離接中に、測定用カメラ６を傾斜させたり、該測定用カメラ６の上下左右方向の移動などの微調整が不要になり、容易に正対ができるようになる。
【００５９】
更に、前記通知手段により、前記枠９ａと外形形状４ａとが合致した時が分かり、正対が容易になる。
【産業上の利用可能性】
【００６０】
本発明の自動車用番号灯の測定装置及び測定方法は、乗用車その他の自動車の製造工程又は車検整備を行なう車両整備工場等で有用である。
【符号の説明】
【００６１】
１      測定装置
２      番号標
３      自動車
４      測定用プレート
４ａ    外形形状
５      番号灯
６      測定用カメラ
７      演算処理装置
７ａ    番号標選択部
７ｂ    カメラ画像処理部
７ｃ    照度等演算部
７ｄ    照度等判定部
７ｅ    均斉度判定部
７ｆ    モニタ画像処理部
７ｇ    操作盤処理部
７ｈ    記憶部
７ｉ    中央演算制御部
８      モニタ装置
９      モニタ画面
９ａ    枠
９ｂ    測定ポイント
９ｃ    補助測定ポイント
９ｄ    上部分
９ｅ    下部分
１０    操作盤
１０ａ  電源スイッチ
１０ｂ  設定スイッチ
１０ｃ  戻りスイッチ
１０ｄ  移行スイッチ
１０ｅ  番号標選択スイッチ
１０ｆ  移動スイッチ
１０ｇ  記録画像呼び出しスイッチ
１０ｈ  説明ウインドウスイッチ
１０ｅ  操作スイッチ
【図１】
2015143649.tif 000003
【図２】
2015143649.tif 000004
【図３】
2015143649.tif 000005
【図４】
2015143649.tif 000006
【図５】
2015143649.tif 000007
【図６】
2015143649.tif 000008
【図７】
2015143649.tif 000009